(57)【要約】【課題】  連続線状態の三次元ランダムループ接合構造体を用いた寝具であって、保温性の優れた寝具を提供する。【解決手段】  熱可塑性樹脂からなる連続線状態を曲がりくねらせランダム連続ループを形成し、夫々の溶融状態ループの接触する箇所の大部分を融着して成る三次元ランダムループ接合構造体と、三次元ランダムループ接合構造体を包む開閉自在な包装体とを備え、三次元ランダムループ接合構造体に羽根、羽毛を混入する保温性の優れた寝具。【選択図】  図３
2016083246.tif 000002
【特許請求の範囲】
【請求項１】
寝具において、熱可塑性樹脂を加熱溶解し複数の噴出口より排出した連続線を曲がりくねらせランダム連続ループを形成して、夫々の溶融状態ループの接触する箇所の大部分を融着して成る三次元ランダムループ接合構造体を、三次元ランダムループ接合構造体挿入口を有する包装体に挿入し、三次元ランダムループ接合構造体の空寮に羽根と羽毛が充填されていることを特徴とする寝具。
【請求項２】
前記三次元ランダムループ接合構造体の空寮に綿、種子、化学繊維、低反発スポンジが充填されていることを特徴とする請求項１に記載の寝具。
【請求項３】
三次元ランダムループ接合構造体に保温材を充填する為の保温材充填作業台の形状は、保温材充填作業台の天板に複数の吸気口を形成して、又は、天板をネットにして、天板下面に吸気捕集フードを装着して、吸気捕集フードに排気ダクトと排気ファンとファンモーターとを配設し、保温材充填作業台上にフレキシブル管と保温材充填ノズルを設けられた保温材充填作業台を使用して製造されていることを特徴とする寝具。
【発明の詳細な説明】
【技術分野】
【０００１】
本発明は、連続線状体の三次元ランダムループ接合構造体に保温効果の高い保温材を用いた寝具に関する。
【背景技術】
【０００２】
従来、連続線状体の三次元ランダムループ接合構造体の上、又は下に保温材を重ねて寝具にしていた。
【０００３】
しかしながら従来の積層構造体寝具は、保温効果限定的で低い欠点があった。
【先行技術文献】
【特許文献】
【０００４】
【特許文献１】特開２００７−１３５６７１号公報
【特許文献２】特開２０１４−６４７６８号公報
【特許文献３】特開２０１０−２４００２４号公報
【発明の概要】
【発明が解決しようとする課題】
【０００５】
特許文献１は、筒状弾性体の空寮部に保温材が充填された敷寝具であるが、保温材が寝具全体に充填できず保温効果は限定される。
【０００６】
本発明は、以上のような従来の欠点に鑑み、連続線状体の三次元ランダムループ接合構造体全体の空寮に保温材を充填した敷寝具を提供することで解消した。
【課題を解決するための手段】
【０００７】
請求項１は、寝具において、熱可塑性樹脂を加熱溶解し複数の噴出口より排出した連続線を曲がりくねらせランダム連続ループを形成して、夫々の溶融状態ループの接触する箇所の大部分を融着して成る三次元ランダムループ接合構造体を、三次元ランダムループ接合構造体挿入口を有する包装体に挿入し、三次元ランダムループ接合構造体の空寮に羽根と羽毛が充填されている寝具。
【０００８】
請求項２は、前記三次元ランダムループ接合構造体に綿、種子、化学繊維、低反発スポンジが充填されていることを特徴とする請求項１に記載の寝具。
【０００９】
請求項３は、三次元ランダムループ接合構造体に保温材を充填する為の保温材充填作業台の形状は、保温材充填作業台の天板に複数の吸気口を形成して、又は、天板をネットにして、天板下面に吸気捕集フードを装着して、吸気捕集フードに排気ダクトと排気ファンとファンモーターとを配設し、保温材充填作業台上にフレキシブル管と保温材充填ノズルを設けられた保温材充填作業台を使用して製造された寝具。
【００１０】
三次元ランダムループ接合構造体羽毛混入寝具は、熱可塑性樹脂を加熱溶解し、複数の噴出口より排出した連続線を曲がりくねらせランダム連続ループを形成して、夫々の溶融状態ループの接触する箇所の大部分を融着して三次元ランダムループ接合構造体を形成する。
【００１１】
又は、熱可塑性樹脂を加熱溶解し複数の噴出口より排出した連続線を曲がりくねらせランダム連続ループを形成し、三次元ランダムループ構造体を形成して、三次元ランダムループ構造体を接着剤溶液にくぐらせて、夫々のループの接触する箇所の大部分を接着し三次元ランダムループ接合構造体を形成する。
【００１２】
三次元ランダムループ接合構造体を包む包装体は、三次元ランダムループ接合構造体を出し入れする為のファスナーによる開閉自在の三次元ランダムループ接合構造体挿入口を設けて、挿入口は保温材充填作業をし易くする為に挿入口を広く設けて、三次元ランダムループ接合構造体に充填する保温材は、羽根と羽毛、或いは、植物又は化学繊維による綿であって、包装体により包装された三次元ランダムループ構造体に保温材を充填する為に保温材充填作業台を使用する。
【００１３】
保温材充填作業台の形状は、天板に複数の吸気口を形成して、又は、天板をネットにして、天板下面に吸気捕集フードと排気ダクトを装着して、吸気捕集フードに排気ファンとファンモーターを配設し、保温材充填作業台上にフレキシブル管と保温材充填ノズルを設けて、保温材充填ノズルからは空気に保温材を混入して射出する。
【００１４】
包装体により包装された三次元ランダムループ接合構造体に保温材の羽根と羽毛の充填は、保温材充填作業台上に包装体により包装された三次元ランダムループ接合構造体を乗せ包装体の挿入口を開いて、ファンモーターに電通し排気ファンを回して、挿入口より保温材充填ノズルを挿入し、空気と羽根と羽毛を混入し撹拌して、保温材充填ノズルより三次元ランダムループ接合構造体に向け射出し、三次元ランダムループ接合構造体端より徐々に羽根と羽毛を充填する。
【発明の効果】
【００１５】
以下図面に基づき説明する。
三次元ランダムループ接合構造体(３)を包む包装体(４)は、三次元ランダムループ接合構造体(３)を出し入れする為のファスナーによる開閉自在な、三次元ランダムループ接合構造体(３)挿入口(５)を広く設けることにおいて、保温材充填作業が容易に出来る。
【００１６】
三次元ランダムループ接合構造体(３)に充填する保温材は、羽根(６)と羽毛(７)、或いは、低反発スポンジ又はスポンジであって、包装体により包装された三次元ランダムループ接合構造体(３)に保温材を充填することにおいて、三次元ランダムループ接合構造体を保温性の高い三次元ランダムループ接合構造体羽毛混入寝具に成る。
【００１７】
保温材充填作業台(８)の形状は、天板(９)に複数の吸気口を形成して、又は、天板(９)をネットにして、天板下面に吸気捕集フード(１０)と排気ダクト(１１)を装着して、吸気捕集フード(１０)又は排気ダクト(１１)に排気ファンとファンモーターとを配設し、保温材充填作業台上(８)にフレキシブル管と保温材充填ノズル(１２)を設けることにおいて、保温材充填作業台上(８)に包装体(４)により包装された三次元ランダムループ接合構造体(３)を乗せ包装体の挿入口(５)を開いて、保温材充填作業台(８)のファンモーターに電通し排気ファンを回して、挿入口(５)より保温材充填ノズル(１２)を挿入し、空気と羽根(６)と羽毛(７)を混入して保温材充填ノズル(１２)より三次元ランダムループ接合構造体(３)に向け射出して、射出時に、空気の流れが挿入口(５)より天板(９)に設けた吸気口に向けて流れていて、羽根(６)と羽毛(７)は三次元ランダムループ接合構造体(３)内部に定着する。
【図面の簡単な説明】
【００１８】
【図１】包装体(４)に、羽根(６)と羽毛(７)が充填された三次元ランダムループ接合構造体(３)が挿入された寝具の斜視図。
【図２】包装体(４)に羽根(６)と羽毛(７)が充填された三次元ランダムループ接合構造体(３)が挿入された寝具の平面図、破線部切断線Ａ−Ａ線を示す。
【図３】図２の破線部切断線Ａ−Ａ線の端面図。
【図４】保温材充填作業台(８) の斜視図。
【発明を実施するための形態】
【００１９】
以下図面に基づき説明する。
三次元ランダムループ接合構造体羽毛混入寝具は、熱可塑性樹脂を加熱溶解し、加熱溶解した熱可塑性樹脂を複数の噴出口から排出して連続線(１)にし、連続線(１)を曲がりくねらせランダム連続ループを形成して、夫々の溶融状態ループの接触する箇所(２)の大部分を融着して三次元ランダムループ接合構造体(３)を形成する。
【００２０】
又は、熱可塑性樹脂を加熱溶解し複数の噴出口より排出した連続線(１)を曲がりくねらせランダム連続ループを形成し、三次元ランダムループ構造体を形成して、三次元ランダムループ構造体を接着剤溶液にくぐらせて、夫々のループの接触する箇所(２)の大部分を接着し三次元ランダムループ接合構造体(３)を形成する。
【００２１】
三次元ランダムループ接合構造体(３)を包む包装体(４)は、三次元ランダムループ接合構造体を出し入れする為のファスナーによる開閉自在の三次元ランダムループ接合構造体(３)挿入口(５)を設けて、挿入口(５)は保温材充填作業をし易くする為に挿入口(５)を広く設けて、三次元ランダムループ接合構造体(３)の空寮に充填する保温材は、羽根(６)と羽毛(７)、或いは、植物又は化学繊維による綿であって、包装体により包装された三次元ランダムループ構造体に保温材を充填する為に保温材充填作業台(８)を使用する。
【００２２】
三次元ランダムループ接合構造体(３)の空寮にクッション性を有する低反発スポンジ材料、たとえばRSフォーム（株式会社大裕商事）X2（ブリュッゲマン社製）を充填する。
【００２３】
保温材充填作業台(８)の形状は、天板(９)に複数の吸気口を形成して、又は、天板(９)をネットにして、天板下面に吸気捕集フード(１０)を装着し、吸気捕集フード(１０)に排気ダクト(１１)を装着して、吸気捕集フード(１０)に排気ファンとファンモーターとを配設し、保温材充填作業台上(８)にフレキシブル管と保温材充填ノズル(１２)を設けて、保温材充填ノズル(１２)からは空気に保温材を混入し撹拌して射出する。
【００２４】
包装体(４)により包装された三次元ランダムループ接合構造体(３)の空寮に保温材の羽根(６)と羽毛(７)の充填は、保温材充填作業台上(８)に包装体(４)により包装された三次元ランダムループ接合構造体(３)を乗せ包装体の挿入口(５)を開いて、ファンモーターに電通し排気ファンを回して、挿入口(５)より保温材充填ノズル(１２)を挿入し、空気と羽根(６)と羽毛(７)を混入して保温材充填ノズル(１２)より三次元ランダムループ接合構造体(３)に向け射出し、三次元ランダムループ接合構造体(３)端より徐々に羽根(６)と羽毛(７)を充填する。
【符号の説明】
【００２５】
１  連続線
２  接触する箇所
３  三次元ランダムループ接合構造体
４  包装体
５  挿入口
６  羽根
７  羽毛
８  保温材充填作業台
９  天板
１０  吸気捕集フード
１１  排気ダクト
１２  保温材充填ノズル
【図１】
2016083246.tif 000003
【図２】
2016083246.tif 000004
【図３】
2016083246.tif 000005
【図４】
2016083246.tif 000006